(57)【特許請求の範囲】
【請求項１】
コンピュータに、
３次元仮想モデルを構築する部品に定義された属性の属性値を複数の範囲に分割した各幅に応じて表示色を指定する変換ルールを定義するルール定義ステップと、
前記部品に対し複数種類の前記属性を格納した属性一覧の中から色分けを行う属性を選択する属性選択ステップと、
前記選択された属性に対応する前記変換ルールを選択するルール選択ステップと、
前記選択された変換ルールに従って前記３次元仮想モデルの前記部品を色分け表示する表示ステップと、
を実行させることを特徴とする３次元仮想モデルの表示色管理方法。
【請求項２】
請求項１記載の３次元仮想モデルの表示色管理方法において、
前記属性一覧は、部品の属性を体積、重量、材料、リサイクル可否、リサイクル可能率、材料表示有無等に分けて各部品に固有の属性値を定義することを特徴とする３次元仮想モデルの表示色管理方法。
【請求項３】
請求項１記載の３次元仮想モデルの表示色管理方法において、
前記属性選択ステップは属性一覧の中から色分け定義を行う複数の属性を選択し、前記ルール選択ステップは、選択された複数の属性ごとに変換ルールを選択し、更に前記表示ステップは前記選択された複数の変換ルールに従って前記３次元仮想モデルの部品を色分け表示することを特徴とする３次元仮想モデルの表示色管理方法。
【請求項４】
請求項１記載の３次元仮想モデルの表示色管理法において、
利用者が前記各幅を設定することで前記変換ルールを変更する変換ルール変更ステップとをさらに有することを特徴とする３次元仮想モデルの表示色管理方法。
【請求項５】
コンピュータに、
３次元仮想モデルを構築する部品に定義された属性の属性値を複数の範囲に分割した各幅に応じて表示色を指定する変換ルールを定義するルール定義ステップと、
前記部品に対し複数種類の前記属性を格納した属性一覧の中から色分けを行う属性を選択する属性選択ステップと、
前記選択された属性に対応する変換ルールを選択するルール選択ステップと、
前記選択された変換ルールに従って前記３次元仮想モデルの部品を色分け表示する表示ステップと、
を実行させることを特徴とするプログラム。
【請求項６】
３次元仮想モデルを構築する部品に定義された属性の属性値を複数の範囲に分割した各幅に応じて表示色を指定する変換ルールを定義するルール定義部と、
前記部品に対し複数種類の前記属性を格納した前記属性一覧の中から色分けを行う前記属性を選択する属性選択部と、
前記選択された属性に対応する変換ルールを選択するルール選択部と、
前記選択された変換ルールに従って前記３次元仮想モデルの部品を色分け表示を表示装置に行う表示部と、
を有することを特徴とする３次元仮想モデルの表示色管理装置。
【発明の詳細な説明】
【０００１】
【発明の属する技術分野】
本発明は、３次元ＣＡＤ等で作成された３次元仮想モデルを構成する部品を属性に応じて色分け表示する３次元仮想モデルの表示色管理方法、プログラム及び装置に関し、特に、リサイクル性や解体性を評価するために３次元仮想モデルを構成する部品を色分け表示する３次元仮想モデルの表示色管理方法、プログラム及び装置に関する。
【０００２】
【従来の技術】
従来、コンピュータ等の電子機器及び装置の製品開発にあっては、３次元ＣＡＤにより作成された３次元仮想モデル、所謂デジタルモックアップを対象に支援ツールを使用して動的干渉や組み立て性などの評価を行って開発効率を上げている。
【０００３】
近年にあっては、更に、資源リサイクルや地球環境への配慮が求められており、解体性やライフサイクルでの環境負荷軽減を考慮した製品開発が重要になっている。このため３次元ＣＡＤで設計している部品の環境負荷評価（ＬＣＡ:Life Cycle Assesment）を行う支援ツールが提供され、ＣＯ２等の環境負荷物質排出量をＣＡＤ上で計算できるようにしている。
【０００４】
またリサイクル性や解体性を評価するために、製品の３次元仮想モデルを材料別に色分け表示し、どのように解体してリサイクルすればよいかを容易に検討できるようにしている。
【０００５】
従来の３次元仮想モデルにおける部品色の表示方法は、部品に特定の属性をもたせ、この部品属性に表示色を１対１に対応づけ、実際の表示色をもつ３次元仮想モデルの中の対応する部品を属性により指定した表示色に変更して色分け表示している。
【０００６】
例えば部品の材料属性に着目し、材料が合成樹脂であれば、合成樹脂に１対１に表示色を対応させ、３次元仮想モデルとして表示する装置の中に合成樹脂を材料とする部品を色分け表示している。
【０００７】
【発明が解決しようとする課題】
しかしながら、このような従来の３次元仮想モデルの部品色分け表示にあっては、特定の部品属性について表示色を１対１に対応付けていたため、部品がもっている体積、重量、材料などの様々な属性の中の１つに固定された色分け表示しか行うことができず、例えは゛リサイクル性と同時に解体性を評価するような場合、評価に必要な部品の色分け表示が十分にできず、評価に手間と時間がかかる問題がある。
【０００８】
本発明は、３次元仮想モデルの部品がもつ属性別に多様な色分け表示を可能としてリサイクル性や解体性等の評価が容易にできる３次元仮想モデルの表示色管理方法、プログラム及び装置を提供することを目的とする。
【０００９】
【課題を解決するための手段】
図１は本発明の原理説明図である。本発明の３次元仮想モデルの表示色管理方法は、図１（Ａ）のフローチャートのように、
コンピュータに、
３次元仮想モデルを構築する部品に定義された属性の属性値を複数の範囲に分割した各幅に応じて表示色を指定する変換ルールを定義するルール定義ステップと、
前記部品に対し複数種類の前記属性を格納した属性一覧の中から色分けを行う属性を選択する属性選択ステップと、
前記選択された属性に対応する前記変換ルールを選択するルール選択ステップと、
前記選択された変換ルールに従って前記３次元仮想モデルの前記部品を色分け表示する表示ステップと、
を実行させることを特徴とする。
【００１０】
このため利用者は、部品の各属性に対応した部品の色分け表示を３次元仮想モデル内で多様に実現でき、リサイクル性や解体性といった評価が適切且つ容易にできる。
【００１１】
ここで属性定義ステップは、部品の属性を体積、重量、材料、リサイクル可否、リサイクル可能率、材料表示有無等に分けて各部品に固有の属性値を定義している。尚、材料表示有無とは、部品に使用材料を示す表示があるか否かということである。
【００１２】
ルール定義ステップは、部品の属性値に応じて個別に表示色を指定する変換ルールを定義する。またルール定義ステップは、部品の属性値に応じて表示色のクラデーションを自動的に変化させる変換ルールを定義する。更に、ルール定義ステップは、部品の属性値を複数の範囲に分割した各幅に応じて表示色を指定する変換ルールを定義する。
【００１３】
ルール定義ステップは、１つの属性について複数種類の変換ルールを定義することができる。これに特定の属性を選択しても、複数の変換ルールがあることから、利用者の判断で適切と思われるルールを選択して部品の色分け表示ができ、評価内容に応じて利用者によるカスタマイズが効率良く適切にできる。
【００１４】
属性選択ステップは属性一覧の中から色分け定義を行う複数の属性を選択し、ルール選択ステップは選択された複数の属性ごとに変換ルールを選択し、更に表示ステップは選択された複数の変換ルールに従って３次元仮想モデルの部品を色分け表示する。
【００１５】
このように複数の属性及び変換ルールを組み合わせた部品の色分け表示ができることで、例えば密接に関連しているリサイクル性と解体性の同時評価が容易にできる。
【００１６】
本発明は、３次元仮想モデルの表示色管理のためのプログラムを提供する。このプログラムは、コンピュータに、
３次元仮想モデルを構築する部品に定義された属性の属性値を複数の範囲に分割した各幅に応じて表示色を指定する変換ルールを定義するルール定義ステップと、
前記部品に対し複数種類の前記属性を格納した属性一覧の中から色分けを行う属性を選択する属性選択ステップと、
前記選択された属性に対応する変換ルールを選択するルール選択ステップと、
前記選択された変換ルールに従って前記３次元仮想モデルの部品を色分け表示する表示ステップと、
を実行させることを特徴とする。
【００１７】
本発明は、３次元仮想モデルの表示色管理装置を提供する。この装置は、図１（Ｂ）のように、３次元仮想モデルを構築する部品に定義された属性の属性値を複数の範囲に分割した各幅に応じて表示色を指定する変換ルールを定義するルール定義部と、
前記部品に対し複数種類の前記属性を納した前記属性一覧の中から色分けを行う前記属性を選択する属性選択部と、
前記選択された属性に対応する変換ルールを選択するルール選択部と、
前記選択された変換ルールに従って前記３次元仮想モデルの部品を色分け表示を表示装置に行う表示部と、
を有することを特徴とする。
【００１８】
なお、プログラム及び装置の詳細は表示色管理方法の場合と基本的に同じになる。
【００１９】
【発明の実施の形態】
図２は、本発明による３次元仮想モデルの表示色管理装置の機能構成を示したブロック図である。図２において、本発明の表示色管理装置１０は例えば３次元ＣＡＤのアプリケーションプログラムに連携する支援ツールとして作成され、３次元ＣＡＤのアプリケーションをインストールしているコンピュータに表示色管理ツールとして準備されたアプリケーションプログラムがインストールされる。
【００２０】
このような表示色管理ツールとしてのアプリケーションプログラムで実現される本発明の表示色管理装置１０は、処理対象として３次元ＣＡＤで作成された３次元モデルが３次元モデルファイル１２から入力される。
【００２１】
表示色管理装置１０には、モデル入力部１４、属性定義部１６、ルール定義部１８、属性選択部２０、ルール選択部２２、表示部２４、制御部２６、属性定義ファイル２８及びルール定義ファイル３０が設けられる。
【００２２】
モデル入力部１４は、３次元モデルファイル１２に格納されている作成済みの複数部品で構築された３次元仮想モデルを入力する。この３次元仮想モデルは例えばノート型のパーソナルコンピュータであり、図３に示すようなツリー上のデータ構造を持っている。
【００２３】
図３の３次元仮想モデルのデータ構造にあっては、モデルの名称であるノートパソコン３６をルートとして、例えばフロントカバーユニット３８、ＬＣＤユニット４０などを持っている。フロントカバーユニット３８はフロントカバー３８−１、機構部品３８−２などの部品で構成されている。
【００２４】
またＬＣＤユニット４０はＬＣＤカバー４０−１，機構部品４０−２，ねじ４０−３〜６などで構成されている。このようなツリー構造のデータ構造を持つ３次元仮想モデルは、３次元ＣＡＤで作成された幾何学的なデータに加え、各部品の体積、重量、材料などの属性情報も含んでいる。
【００２５】
再び図２を参照するに、属性定義部１６は、モデル入力部１４で入力して３次元仮想モデルを構築している各部品に対し、複数種類の属性を定義した属性一覧を作成して属性定義ファイル２８に格納する。この属性定義部１６で生成する部品の属性としては、例えば図４の属性マスタテーブル３４で定義されている。
【００２６】
属性マスタテーブル３４には、例えば属性名としてＩＤ４２，親ＩＤ４４，名称４６，体積４８，重量５０，材料５２，リサイクル可否５４，リサイクル可能率５６，材料表示有無５８及び形状ファイル名６０などが用意されている。
【００２７】
図２の属性定義部１６は、図４のような属性マスタテーブル３４から入力している３次元仮想モデルに必要な属性名を選択し、例えば図５のような属性一覧を備えた属性定義ファイル２８を作成する。
【００２８】
この属性定義ファイル２８は、属性項目として図４の属性マスタテーブル３４から抽出したＩＤ４２，親ＩＤ４４，名称４６，体積４８，重量５０，材料５２，リサイクル可否５４，リサイクル可能率５６及び材料表示有無５８を備える。
【００２９】
このような属性項目に対し図３の３次元仮想モデルのデータ構造に対応してＩＤ４２の順番に装置全体、構成部、さらに各構成部品を列挙し、具体的な属性となる体積４８，重量５０，材料５２，リサイクル可否５４，リサイクル可能率５６及び材料表示有無５８につき各部品に対応した属性値を定義している。
【００３０】
このような属性値のうち体積４８，重量５０，材料５２については３次元ＣＡＤで作成された３次元仮想モデルに含まれるデータから自動的に抽出することができる。
【００３１】
リサイクル可否５４についても材料５２の属性値から一義的に定まる。またリサイクル可能率５６については材料ごとのリサイクル可能率を予め登録してデータベースからの検索データを使用する。更に材料表示有無５８は対象部品の材料面が実際の部品上に表示されているか否かを表す。
【００３２】
例えば名称４６における「フロントカバー」は材料５２として合成樹脂を使用しているが、具体的には「ＰＣ−ＡＢＳ」を使用している。この材料面が実際にフロントカバー上に印刷刻印などにより表示されていることから、この場合、材料表示有無５８は「○」となっている。それ以外の例えば機構部品のＬＣＤカバーなどについては部品そのものに材料表示は行っていないことから「×」としている。
【００３３】
再び図２を参照するに、ルール定義部１８は部品の各属性ごとに属性値を表示色に変換する変換ルールを予め定義している。この変換ルールとしては例えば次のようなものがある。
（１）部品の属性値に応じて個別に表示色を指定する。
（２）部品の属性値に応じて表示色のグラデーションを自動的に変化させるルール。
（３）部品の属性値を複数範囲の幅（レンジ）に分け、各幅ごとに表示色を指定するルール。
【００３４】
属性選択部２０は属性定義ファイル２８に格納されている属性一覧の中から色分けを行う属性を選択する。またルール選択部２２は属性選択部２０で選択された属性に対応する変換ルールをルール定義ファイル３０の参照で選択する。表示部２４はルール選択部２２で選択された変換ルールに従って３次元仮想モデルの部品をディスプレイ装置３２上に色分け表示する。
【００３５】
ここで属性選択部２０による３次元仮想モデルの色分けを行う部品の属性は１つを選択しても良いし、複数の属性を選択してそれらについてルールを選択することで、複数の変換ルールを組み合わせた部品の色分け表示を行うこともできる。
【００３６】
図６は、図２における本発明における表示色管理装置１０の処理手順のフローチャートである。このフローチャートは本発明による表示色管理のためのプログラムの構造を提供するものである。
【００３７】
図６において、ステップＳ１で、３次元ＣＡＤなどで作成されている表示対象とする３次元仮想モデルを３次元モデルファイル１２から入力する。次にステップＳ２で入力した３次元仮想モデルを構成している部品を対象に部品の属性を定義して、例えば図５のような属性一覧となる属性定義ファイル２８を作成する。
【００３８】
次にステップＳ３で属性毎に表示色への変換ルールを定義したルール定義ファイル３０を作成する。尚、変換ルールは部品の属性に対応していることから属性の種別毎に予め変換ルールを固定的に通常は定めておく。
【００３９】
次にステップＳ４で利用者は属性定義ファイルから色分け表示の対象とする属性を選択する。この属性選択は１つでも良いし、複数でも良い。次にステップＳ５で属性についてルール定義ファイル３０から色分け表示に使用するルールを選択する。
【００４０】
ステップＳ６で更に別の属性の組み合わせがあれば、ステップＳ４に戻り次の属性を選択してステップＳ５でルールを選択する。それ以上、属性の組み合わせがなければステップＳ７に進み、選択した属性につき選択したルールに従ってモデル内の部品の色分け表示を行う。続いてステップＳ８で属性変更か否かをチェックしており、もし属性変更の要求があれば再びステップＳ４に戻って新たな属性の選択とルール選択による処理を繰り返す。
【００４１】
図７は、本発明の表示色管理において属性選択部２０で利用者が行う対象属性選択画面６２の説明図である。この対象属性選択画面６２には色分け定義を行う属性を選択するためダイヤログ６４が設けられており、このダイヤログ６４を開いて例えば材料６５を色分け表示の属性として選択し、ＯＫボタン６６を押す。
【００４２】
対象属性選択画面６２による属性選択がすむと、図８の変換ルール選択画面６８に切換わる。この変換ルール選択画面６８は変換ルール選択条件として「色分けタイプを選択してください」とのメッセージ表示が行われており、ダイヤログ７０を開くことで、例えばこの場合の属性名「材料」に適応されている変換ルールが表示され、この場合の材料属性については変換ルールとして「属性値毎の色指定による」と見られることから、これを選択してＯＫボタン７２を押す。
【００４３】
図８の変換ルール選択画面６８による変換ルールの選択がすむと図９のパラメータ設定画面７４に切換わる。パラメータ設定画面７４は材料用パラメータ設定画面７６、重量用パラメータ設定画面９８及びリサイクル可能率用パラメータ設定画面１００を備えており、この場合には図７で選択した属性である材料に対応して材料用パラメータ設定画面７６を開いた状態を表している。
【００４４】
材料用パラメータ設定画面７６には基本情報７８が表示され、ここに現在選択している属性名「材料」及び変換ルールとしての色分け表示タイプである「属性値毎の色指定による」が表示されている。
【００４５】
その下の属性値欄８０には属性値選択項目のダイヤログ８１が設けられており、処理状態で図５の属性定義ファイル２８に登録されている材料名である「ＰＣ−ＡＢＳ」が表示されている。このダイヤログ８１の表示材料名はダイヤログを開いて別の材料名に変更したり、削除したりすることができ、この画面に追加ボタン８２及び削除ボタン８４を設けている。
【００４６】
属性値欄８０の右側には色編集欄８６が設けられている。この色編集欄は属性として選択した材料「ＰＣ−ＡＢＳ」の部品につける表示色を設定することができる。まず変更ボタン８８により任意の表示色を選択することができる。
【００４７】
またチェックボックス９０をクリックすることによりスライドボタン９２で半透明度合を調整でき、スライドボタン９４により輝度の度合を調整することができる。必要な設定がすんだならばＯＫボタン９５を操作する。設定を解除したい場合ならばキャンセルボタン９６を押す。
【００４８】
図１０は、本発明による表示色管理でディスプレイ装置３２に表示される３次元仮想モデルの具体例である。図１０の表示画面１４０には３次元仮想モデルとして作成されたノートパソコン１４２が表示されており、この場合は手順の属性選択による色分け表示ではなくオリジナルの３次元仮想モデルの表示となっている。
【００４９】
このようなオリジナルのノートパソコン１４２の表示画面１４０について、例えば図７，図８及び図９に示したように対象属性の選択、変換ルールの選択及びパラメータ設定を行うと、例えば図１１のような選択された属性とルールに従ってノートパソコンの部品を色分け表示することができる。
【００５０】
図１１の表示画面１４４は、重量属性値２５以上の部品について、材料「ＰＣ−ＡＢＳ」は赤、それ以外は無色半透明とする属性選択及びルール選択を行った場合のノートパソコンの色分け表示である。この色分け表示においてノートパソコンのＰＣ−ＡＢＳを材料とする部分は赤表示部１４６となり、それ以外は無色半透明１４８−１，１４８−２，１４８−３のように表示される。
【００５１】
図１２は、対象属性選択画面６２の他の選択状態であり、この場合、利用者はダイヤログ６４の中のリサイクル可能率１０２を選択してＯＫボタン６６を押したとする。この対象属性選択により図１３の変換ルール選択画面６８に切換わる。
【００５２】
図１３の変換ルール選択画面６８において、ダイヤログ７０を開くと「幅指定による」、「自動gradation」の二つが表示され、この場合には変換ルール１０４として「幅指定による」を選択してＯＫボタン７２を押したとする。この変換ルールの選択により図１４のパラメータ設定画面７４に切換わる。
【００５３】
この場合、選択属性としてリサイクル可能率を選択していることから、リサイクル可能率用パラメータ設定画面１００が展開されている。リサイクル可能率用パラメータ設定画面１００は基本情報１０６の下に幅指定欄１０８が設けられている。
【００５４】
この幅指定欄１０８は０〜１００％の値を持つリサイクル可能率についての幅の分割、即ちレンジ分けの数と各幅における下限１１２と上限１１４のパーセント設定する。例えばリサイクル可能率を３つのレンジに分けたい場合には、ダイヤログ１１０で幅１，２，３を選択しながらそれぞれの幅の値に対し、下限１１２及び上限１１４を使用してパーセント設定する。例えば幅１につき下限０％、上限０％、幅２については下限０％、上限６０％、幅３については図示のように下限６０％、上限１００％を設定する。
【００５５】
このような幅指定欄１０８における幅指定に対応してその右側の色編集欄１２０で変更ボタン１２２を使用しながら各幅指定１，２，３における表示色を指定する。またチェックボックス１２４を操作することでスライドボタン１２６による半透明の度合の調整及びスライドボタン１２８による輝度調整ができる。パラメータ設定がすんだならばＯＫボタン９５を押す。
【００５６】
図１５は、図１２及び図１３の属性変換ルール及びパラメータ指定によって色分け表示の属性としてリサイクル可能率を選択し、また変換ルールとして「幅指定による」を選択し、これに基づき図１４でパラメータ設定としてリサイクル可能率０％は赤、０％を越えて６０％未満は青、６０％以上は緑とした場合の色分け表示画面である。
【００５７】
即ち図１５の表示画面１５０にあっては、緑表示部１５２はリサイクル可能率が６０％以上であり、また赤表示部１５４−１，１５４−２，１５４−３はリサイクル可能率が０％であり、この色分け表示によりノートパソコンの構成部品によるリサイクル可能率の状況を容易に把握することができる。
【００５８】
もちろん、本発明による３次元仮想モデルの色分け表示は、図７乃至図１２の具体的な属性選択、変換ルール選択及びパラメータ設定に以外に図５の内容をもつ属性定義ファイル２８を対象に適宜の部品属性を選択して必要な変換ルールを展開することで、１または複数の属性の組み合わせによる部品の色分け表示が適切にできる。
【００５９】
またどのような部品の色分け表示をするかは、ユーザが自由に属性選択、変換ルール選択、パラメータ設定を指定しながら構築できるため、利用者において特定の評価のためのカスタマイズが迅速かつ適切にできる。
【００６０】
尚、上記の実施形態は３次元ＣＡＤの支援ツールとして利用する表示色管理を例にとるものであったが、支援ツールとしてではなく３次元仮想モデルを入力とする専用ツールであっても良い。またインターネットなどのＡＰＳサーバで提供される支援ツールとして構築しても良い。また本発明はその目的と利点を損なわない適宜の変形を含む。さらに本発明は上記の実施形態に示した数値による変形は受けない。
【００６１】
（付記）
（付記１）
複数の部品で構築された３次元仮想モデルを入力する入力ステップと、
前記３次元仮想モデルの部品に対し複数種類の属性を定義した属性一覧を生成する属性定義ステップと、
前記部品の各属性毎に属性値を表示色に変換する変換ルールを定義するルール定義ステップと、
前記属性一覧の中から色分けを行う属性を選択する属性選択ステップと、
前記選択された属性に対応する変換ルールを選択するルール選択ステップと、
前記選択された変換ルールに従って前記３次元仮想モデルの部品を色分け表示する表示ステップと、
を備えたことを特徴とする３次元仮想モデルの表示色管理方法。（１）
【００６２】
（付記２）
付記１記載の３次元仮想モデルの表示色管理方法において、前記属性定義ステップは、部品の属性を体積、重量、材料、リサイクル可否、リサイクル可能率、材料表示有無等に分けて各部品に固有の属性値を定義したことを特徴とする３次元仮想モデルの表示色管理方法。（２）
【００６３】
（付記３）
付記１記載の３次元仮想モデルの表示色管理方法において、前記ルール定義ステップは、部品の属性値に応じて個別に表示色を指定する変換ルールを定義することを特徴とする３次元仮想モデルの表示色管理方法。
【００６４】
（付記４）
付記１記載の３次元仮想モデルの表示色管理方法において、前記ルール定義ステップは、部品の属性値に応じて表示色のクラデエーションを自動的に変化させる変換ルールを定義することを特徴とする３次元仮想モデルの表示色管理方法。
【００６５】
（付記５）
付記１記載の３次元仮想モデルの表示色管理方法において、前記ルール定義ステップは、部品の属性値を複数の範囲に分割した各幅に応じて表示色を指定する変換ルールを定義することを特徴とする３次元仮想モデルの表示色管理方法。
【００６６】
（付記６）
付記１記載の３次元仮想モデルの表示色管理方法において、前記ルール定義ステップは、１つの属性について複数種類の変換ルールを定義することを特徴とする３次元仮想モデルの表示色管理方法。
【００６７】
（付記７）
付記１記載の３次元仮想モデルの表示色管理方法において、前記属性選択ステップは属性一覧の中から色分け定義を行う複数の属性を選択し、前記ルール選択ステップは、選択された複数の属性ごとに変換ルールを選択し、更に前記表示ステップは前記選択された複数の変換ルールに従って前記３次元仮想モデルの部品を色分け表示することを特徴とする３次元仮想モデルの表示色管理方法。（３）
【００６８】
（付記８）
コンピュータに、
複数の部品で構築された３次元仮想モデルを入力する入力ステップと、
前記３次元仮想モデルの部品に対し複数種類の属性を定義した属性一覧を生成する属性定義ステップと、
前記部品の各属性毎に属性値を表示色に変換する変換ルールを予め定義するルール定義ステップと、
前記属性一覧の中から色分けを行う属性を選択する属性選択ステップと、
前記選択された属性に対応する変換ルールを選択するルール選択ステップと、
前記選択された変換ルールに従って前記３次元仮想モデルの部品を色分け表示する表示ステップと、
を実行させることを特徴とするプログラム。（４）
【００６９】
（付記９）
付記８記載のプログラムにおいて、前記属性定義ステップは、部品の属性を体積、重量、材料、リサイクル可否、リサイクル可能率、材料表示有無等に分けて各部品に固有の属性値を定義したことを特徴とするプログラム。
【００７０】
（付記１０）
付記８記載のプログラムにおいて、前記ルール定義ステップは、部品の属性値に応じて個別に表示色を指定する変換ルールを定義することを特徴とするプログラム。
【００７１】
（付記１１）
付記８記載のプログラムにおいて、前記ルール定義ステップは、部品の属性値に応じて表示色のクラデエーションを自動的に変化させる変換ルールを定義することを特徴とするプログラム。
【００７２】
（付記１２）
付記８記載のプログラムにおいて、前記ルール定義ステップは、部品の属性値を複数の範囲に分割した各幅に応じて表示色を指定する変換ルールを定義することを特徴とするプログラム。
【００７３】
（付記１３）
付記８記載のプログラムにおいて、前記ルール定義ステップは、１つの属性について複数種類の変換ルールを定義することを特徴とするプログラム。
【００７４】
（付記１４）
付記８記載のプログラムにおいて、前記属性選択ステップは属性一覧の中から色分け定義を行う複数の属性を選択し、前記ルール選択ステップは、選択された複数の属性ごとに変換ルールを選択し、更に前記表示ステップは前記選択された複数の変換ルールに従って前記３次元仮想モデルの部品を色分け表示することを特徴とするプログラム。
【００７５】
（付記１５）
複数の部品で構築された３次元仮想モデルを入力する入力部、
前記３次元仮想モデルの部品に対し複数種類の属性を定義した属性一覧を生成する属性定義部と、
前記部品の各属性毎に属性値を表示色に変換する変換ルールを予め定義するルール定義部と、
前記属性一覧の中から色分けを行う属性を選択する属性選択部と、
前記選択された属性に対応する変換ルールを選択するルール選択部と、
前記選択された変換ルールに従って前記３次元仮想モデルの部品を色分け表示する表示部と、
を実行させることを特徴とする３次元仮想モデルの表示色管理装置。（５）
【００７６】
【発明の効果】
以上説明してきたように本発明によれば、複数の部品で構築された３次元仮想モデルを対象に部品の各属性に対応した色分け表示を利用者による属性選択、変換ルールの選択、パラメータ設定により、可能な色分け表示を容易に実現することができ、例えば環境負荷評価（ＬＣＡ）などで重要となるリサイクル性や解体性のための評価が部品の色分け表示によって適切かつ容易に実現できる。
【００７７】
また利用者において部品の持つ複数の属性の中から適宜に属性を選択し、また選択した属性について定めている複数の変換ルールの中から適切なルールを選択して部品を色分け表示できるため、評価内容に応じて利用者による部品の色分け表示のカスタマイズが効率よく且つ適切にでき、極めて高い利用性が得られる。
【図面の簡単な説明】
【図１】本発明の原理説明図
【図２】本発明による表示色管理装置の機能構成のブロック図
【図３】本発明で色分け表示する３次元仮想モデルのデータ構造の説明図
【図４】本発明で使用する属性マスタテーブルの説明図
【図５】本発明で作成される属性定義ファイルの説明図
【図６】本発明による表示色管理処理のフローチャート
【図７】利用者の属性選択に使用する対象属性選択画面の説明図
【図８】利用者の変換ルールの選択に使用する変換ルール選択画面の説明図
【図９】属性値及び色指定に使用するパラメータ設定画面の説明図
【図１０】部品の色分け表示を行っていないモデル表示画面の説明図
【図１１】重量属性と材料属性を組合せた部品色分け表示画面の説明図
【図１２】リサイクル可能率属性を選択した対象属性選択画面の説明図
【図１３】幅指定による変換ルールを選択した変換ルール選択画面の説明図
【図１４】リサイクル可能率属性のパラメータ設定画面の説明図
【図１５】リサイクル可能率属性による色分け表示画面の説明図
【符号の説明】
１０：表示色管理装置
１２：３次元モデルファイル
１４：モデル入力部
１６：属性定義部
１８：ルール定義部
２０：属性選択部
２２：ルール選択部
２４：表示部
２６：制御部
２８：属性定義ファイル
３０：ルール定義ファイル
３２：ディスプレイ装置
３４：属性マスタテーブル
６２：対象属性選択画面
６８：変換ルール選択画面
７４：パラメータ設定画面
９８：重量用パラメータ設定画面
１００：リサイクル可能率用パラメータ設定画面
【図１】
0004019353.tif 000002
【図２】
0004019353.tif 000003
【図３】
0004019353.tif 000004
【図４】
0004019353.tif 000005
【図５】
0004019353.tif 000006
【図６】
0004019353.tif 000007
【図７】
0004019353.tif 000008
【図８】
0004019353.tif 000009
【図９】
0004019353.tif 000010
【図１０】
0004019353.tif 000011
【図１１】
0004019353.tif 000012
【図１２】
0004019353.tif 000013
【図１３】
0004019353.tif 000014
【図１４】
0004019353.tif 000015
【図１５】
0004019353.tif 000016